(57)【特許請求の範囲】
【請求項１】
筐体内に弾性的に吊支した外槽と、回転中心軸を略鉛直方向に有し前記外槽内に回転自在に支持し洗濯物を収容し通気孔を有する内槽と、この内槽の内底部に設け洗濯物を撹拌する回転翼と、前記内槽または回転翼を回転駆動する駆動手段と、前記内槽内に温風を供給する温風送風手段と、前記外槽の外面を冷却させる冷却手段と、負荷駆動手段を介して前記駆動手段、温風送風手段、冷却手段の動作を制御し洗い、すすぎ、脱水、乾燥の各行程を制御する制御手段と、前記負荷駆動手段および制御手段を有する制御装置と、前記制御装置を覆い保護するカバーとを備え、前記制御装置は、一体集中的に形成するとともに、前記筐体の背面部に略垂直に配設し、前記カバーには、前記外槽側に複数の風穴ルーバを設けた洗濯乾燥機。
【請求項２】
筐体内に弾性的に吊支した外槽と、回転中心軸を略鉛直方向に有し前記外槽内に回転自在に支持し洗濯物を収容し通気孔を有する内槽と、この内槽の内底部に設け洗濯物を撹拌する回転翼と、前記内槽または回転翼を回転駆動する駆動手段と、前記内槽内に温風を供給する温風送風手段と、前記外槽の外面を冷却させる冷却手段と、負荷駆動手段を介して前記駆動手段、温風送風手段、冷却手段の動作を制御し洗い、すすぎ、脱水、乾燥の各行程を制御する制御手段と、前記負荷駆動手段および制御手段を有する制御装置と、前記制御装置を覆い保護するカバーとを備え、前記制御装置は、一体集中的に形成するとともに、前記筐体の背面部に略垂直に配設し、前記カバーには、前記筐体に係止するホルダーを一体形成した洗濯乾燥機。
【請求項３】
負荷駆動手段を構成するリレーを、少なくともカバー内に単独で配設し、取り付け取り外し可能に構成した請求項１または２に記載の洗濯乾燥機。
【発明の詳細な説明】
【０００１】
【発明の属する技術分野】
本発明は、内槽内に温風を送風して洗濯物を乾燥させる行程を有し、洗濯から乾燥までを一貫して実施できる洗濯乾燥機に関するものである。
【０００２】
【従来の技術】
従来、この種の洗濯乾燥機は図６に示すように構成していた。以下、その構成について説明する。
【０００３】
図６に示すように、筐体１は、内部に複数のサスペンション２によって弾性的に吊り下げた外槽３を設け、脱水時の振動をサスペンション２によって吸収する構成としている。外槽３の内部には、洗濯物および乾燥対象物を収容する内槽４を中空で２重構造とした洗濯・脱水軸５を中心に回転可能に配設し、内槽４の内底部に洗濯物や乾燥対象物を撹拌する回転翼６を回転自在に配設している。
【０００４】
また、内槽４の内部周壁には通気孔４ａを多数設けるとともに、上方には流体バランサ７を設けている。モータ８は、外槽３の底部に取り付け、洗濯または脱水時に回転力の伝達を洗濯・脱水軸５に切り換えるクラッチ９と洗濯・脱水軸５を介して、内槽４または回転翼６に連結している。回転翼６は外周部に傾斜面１０を有する略鍋型の形状をし、撹拌用突出部１１を形成し、乾燥行程において、乾燥対象物を回転翼６の回転による遠心力で傾斜面に沿って上方へと舞い上がりやすくしている。
【０００５】
熱交換ダクト１２は、循環する湿った温風を除湿するもので、一端を伸縮自在の接続ダクト１３を介して外槽３の下部に設けた排水経路口１４に接続し、他端を乾燥用送風機１５の一端に接続している。乾燥用送風機１５の他端は、ヒータ１６を有する温風供給路１７に接続し、上部蛇腹状ホース１８を通って、内槽４へ繋がり循環する経路を構成している。乾燥用送風機１５とヒータ１６とで温風送風手段を構成している。
【０００６】
外槽３には、外槽３の上面を気密的に覆う外槽カバー１９を設けており、この外槽カバー１９に伸縮自在の上部蛇腹状ホース１８からの温風噴出孔２０を開口している。また、外槽カバー１９に中蓋２１を開閉自在に設け、衣類を出し入れするようにしている。
【０００７】
外槽３の底部に外槽３内に水を排水する排水弁２２を設け、排水ダクト２３を介して熱交換ダクト１２と接続ダクト１３とに接続し、接続ダクト１３と熱交換ダクト１２からの排水を排水ダクト２３、排水弁２２に導き、排水ホース２４から機外へ排水するようにしている。
【０００８】
冷却用送風機２５は、筐体１の側面に取り付け、筐体１の内部に外槽３、熱交換ダクト１２などを冷却するように送風できるよう構成している。
【０００９】
負荷駆動制御部２６および行程制御部２７は、制御装置を構成し、モータ８、クラッチ９、乾燥用送風機１５、ヒータ１６、排水弁２２、冷却用送風機２５などの動作を制御し、洗濯、すすぎ、脱水、乾燥の各行程を制御するものであり、負荷駆動制御部２６は、双方向性サイリスタ、リレーなどの大電流制御部品で負荷駆動手段を構成し、モータ８、クラッチ９、乾燥用送風機１５、ヒータ１６、排水弁２２、冷却用送風機２５などを直接オンオフ制御するもので、筐体１内の下部に配設している。
【００１０】
行程制御部２７は、マイクロコンピュータなどで制御手段を構成し、操作表示部２８より設定された入力に応じて、所定のプログラムにより負荷駆動制御部２６を制御するもので、筐体１内の上部に配設している。操作表示部２８は制御装置に接続し、使用者が入力するとともに、動作状態を表示するものである。
【００１１】
上記構成において動作を説明する。洗濯行程では、中蓋２１を開けて、内槽４に洗濯物と洗剤を投入し、運転を開始すると所定の水位まで給水した後、モータ８を駆動する。このとき、伝達機構部のクラッチ９によりモータ８の動力を洗濯軸を介して回転翼６に伝達し、回転翼６が回転することで、洗濯物が回転翼６の撹拌用突出部１１に引っかかり、中心部へ引き込まれる。内槽４の中心下層部の洗濯物は、引き込まれた洗濯物により、内槽４の上層部へ押し上げられる。このようにして内槽４内の洗濯物を撹拌して、洗濯物同士、または内槽４の内壁や回転翼６との接触により作用する機械力と、水流力により行われる。
【００１２】
脱水行程では、洗濯終了後、排水弁２２を開いて内槽４内の水を排水ホース２４より排水した後、伝達機構部のクラッチ９を脱水側に切り換えて、モータ８の動力を脱水軸を介し内槽４に伝達して回転させ、洗濯物に遠心力を与えることにより、水分を洗濯物から分離することで行う。
【００１３】
乾燥行程では、クラッチ９を洗濯側に切り換えてモータ８を駆動して回転翼６に伝達し、回転翼６を急速に正転、反転することで、脱水後に内槽４の内壁に張り付いた洗濯物を引き剥がす。つぎに、回転翼６を正転、反転させて撹拌用突出部１１で洗濯物を引っかけて撹拌しながら、乾燥用送風機１５とヒータ１６とからなる温風送風手段により温風を温風噴出孔２０に送る。温風噴出口２０より内槽４に吹き込まれた温風は、洗濯物から水分を蒸発させた後、内槽４から外槽３の内側へ出た後、排水経路口１４より接続ダクト１３を通過して、熱交換ダクト１２へ至る。
【００１４】
洗濯物の水分を奪って湿気を含んだ温風が、外槽３の内壁や熱交換ダクト１２内を通過しているとき、筐体１の側面に設置した冷却送風機２５による外部空気の流入で、外槽３や熱交換ダクト１２の外壁は冷却されることになり、その内部では、水分の結露が起こり、湿った温風は除湿されて乾燥用送風機１５へ戻る。この循環路で温風を循環させることにより、内槽４内の乾燥対象物を乾燥させることができる。
【００１５】
【発明が解決しようとする課題】
このような従来の構成では、制御装置を構成する負荷駆動制御部２６と行程制御部２７とを筐体１内の下部と上部に複数分散して配設しているため、下部に配設した負荷駆動制御部２６は、防水パン２９内での溢水による絶縁劣化を起こす場合があり、上に配設した行程制御部２７では、湿気による結露が発生しやすいことにより絶縁性が悪化する場合があるという問題を有していた。
【００１６】
さらに、負荷駆動制御部２６と行程制御部２７とを複数分散して配設することにより、配線の複雑化による組立性の低下、サービスメンテナンスの複雑化、製造コスト高などの問題があった。
【００１７】
本発明は上記従来の課題を解決するもので、制御装置の信頼性を向上し、組立性とサービスメンテナンス性を向上するとともに、製造コストを低減することを目的としている。
【００１８】
【課題を解決するための手段】
本発明は上記目的を達成するために、筐体内に弾性的に吊支した外槽内に、回転中心軸を略鉛直方向に有し洗濯物を収容し通気孔を有する内槽を回転自在に支持し、この内槽の内底部に洗濯物を撹拌する回転翼を設け、内槽または回転翼を駆動手段により回転駆動し、温風送風手段により内槽内に温風を供給するとともに外槽の外面を冷却手段により冷却し、制御手段により負荷駆動手段を介して駆動手段、温風送風手段、冷却手段の動作を制御し洗い、すすぎ、脱水、乾燥の各行程を制御するよう構成し、負荷駆動手段および制御手段を有する制御装置は、保護するカバーで覆われ、一体集中的に形成するとともに、筐体の背面部に略垂直に配設し、カバーには、外槽側に複数の風穴ルーバを設けたものである。
【００１９】
これにより、制御装置の信頼性を向上することができ、組立性とサービスメンテナンス性を向上できるとともに、製造コストを低減することができる。
【００２０】
また、風穴ルーバの通風作用により、万一、水滴の付着があっても蒸発作用が働き、絶縁性の信頼性も高めることができる。
【００２１】
【発明の実施の形態】
本発明の請求項１に記載の発明は、筐体内に弾性的に吊支した外槽と、回転中心軸を略鉛直方向に有し前記外槽内に回転自在に支持し洗濯物を収容し通気孔を有する内槽と、この内槽の内底部に設け洗濯物を撹拌する回転翼と、前記内槽または回転翼を回転駆動する駆動手段と、前記内槽内に温風を供給する温風送風手段と、前記外槽の外面を冷却させる冷却手段と、負荷駆動手段を介して前記駆動手段、温風送風手段、冷却手段の動作を制御し洗い、すすぎ、脱水、乾燥の各行程を制御する制御手段と、前記負荷駆動手段および制御手段を有する制御装置と、前記制御装置を覆い保護するカバーとを備え、前記制御装置は、一体集中的に形成するとともに、前記筐体の背面部に略垂直に配設し、前記カバーには、前記外槽側に複数の風穴ルーバを設けたものであり、制御装置が筐体内の下部や上部に複数に分散しないため、防水パン内での溢水による絶縁劣化を起こしたり、湿気による結露により絶縁性が悪化したりすることがなく、特に、制御装置は略垂直に配設しているため、万一、水滴などの付着があっても、下方へ流すことができ、水滴による絶縁性低下を未然に防止することができて、制御装置の信頼性を向上することができ、さらに配線のシンプル化により組立性とサービスメンテナンス性を向上できるとともに、製造コストを低減することができる。
【００２２】
また、脱水行程において、外槽が大きな振幅で揺れたとき、筐体内の空気が対流することにより呼吸作用が得られるのを利用し、カバーの外槽側に設けた複数の風穴ルーバに通風作用が働き、制御装置全体を冷却することができ、制御装置の温度上昇を低減することができ、信頼性を向上することができる。また、通風作用により、万一、水滴の付着があっても蒸発作用が働き、絶縁性の信頼性も高められる。
【００２３】
請求項２に記載の発明は、筐体内に弾性的に吊支した外槽と、回転中心軸を略鉛直方向に有し前記外槽内に回転自在に支持し洗濯物を収容し通気孔を有する内槽と、この内槽の内底部に設け洗濯物を撹拌する回転翼と、前記内槽または回転翼を回転駆動する駆動手段と、前記内槽内に温風を供給する温風送風手段と、前記外槽の外面を冷却させる冷却手段と、負荷駆動手段を介して前記駆動手段、温風送風手段、冷却手段の動作を制御し洗い、すすぎ、脱水、乾燥の各行程を制御する制御手段と、前記負荷駆動手段および制御手段を有する制御装置と、前記制御装置を覆い保護するカバーとを備え、前記制御装置は、一体集中的に形成するとともに、前記筐体の背面部に略垂直に配設し、前記カバーには、前記筐体に係止するホルダーを一体形成したものであり、制御装置が筐体内の下部や上部に複数に分散しないため、防水パン内での溢水による絶縁劣化を起こしたり、湿気による結露により絶縁性が悪化したりすることがなく、特に、制御装置は略垂直に配設しているため、万一、水滴などの付着があっても、下方へ流すことができ、水滴による絶縁性低下を未然に防止することができて、制御装置の信頼性を向上することができ、さらに配線のシンプル化により組立性とサービスメンテナンス性を向上できるとともに、製造コストを低減することができる。
【００２４】
また、洗い、脱水、乾燥行程にて、筐体の振動により制御装置に応力が加わっても、カバーに応力吸収する作用があるため、直接制御装置に応力が加わることがなく、制御装置の筐体からの振動応力に対する保護を行うことができ、信頼性を向上することができる。
【００２５】
請求項３に記載の発明は、上記請求項１あるいは請求項２に記載の発明において、負荷駆動手段を構成するリレーを、少なくともカバー内に単独で配設し、取り付け取り外し可能に構成したものであり、温度上昇を低減するための配置が可能となり、信頼性を向上することができる。またリレーなどを取り付け取り外し可能に構成しているため、リレーなどのサービスメンテナンス性を向上することができる。
【００２６】
【実施例】
以下、本発明の一実施例について、図面を参照しながら説明する。なお、従来例と同じ構成のものは同一符号を付して説明を省略する。
【００２７】
図１および図２に示すように、制御装置３０は、負荷駆動手段３１を介して、モータ（駆動手段）８、クラッチ９、温風送風手段を構成する乾燥用送風機１５およびヒータ１６、排水弁２２、冷却用送風機（冷却手段）２５、給水弁３２などの動作を制御し、洗い、すすぎ、脱水、乾燥の各行程を制御する制御手段３３を有している。
【００２８】
制御手段３３は、マイクロコンピュータなどで構成し、水位検知手段３４、温度検知手段３５、３６の出力を入力し、入力設定手段３７によって設定された内容に基づいて、表示手段３８に設定内容を表示するとともに、双方向サイリスタ、リレーなどで構成した負荷駆動手段３１を介して、モータ８、クラッチ９、乾燥用送風機１５、ヒータ１６、排水弁２２、冷却用送風機２５、給水弁３２などの動作を制御し、洗い、すすぎ、脱水、乾燥の各行程を制御する。入力設定手段３７と表示手段３８とで、操作表示部３９を構成している。なお、４０は商用電源、４１は電源スイッチである。
【００２９】
温度検知手段３５は熱交換器１２の出口に取り付け、循環風の温度を検知し、温度検知手段３６は温風供給路１７に取り付け、温風噴出孔２０の循環風温度を検知するよう構成し、制御手段３３は、乾燥行程にて、温度検知手段３６により検知した温度が第１の所定温度（たとえば、１１０℃）に達したとき、ヒータ１６をオフし、そのときの温度検知手段３５による温度から第２の所定温度（たとえば、２ｋ）下がったとき、ヒータ１５を動作させて循環風の温度を調節するよう構成している。
【００３０】
制御装置３０は、一体集中的に形成するとともに、筐体４２の背面部（裏カバー）４３に略垂直に配設し、制御装置３０の下側に冷却用送風機２５を設けている。また、制御装置３０は、図３に示すように、カバー４４により覆って保護するようにし、カバー４４には、外槽３側に複数の風穴ルーバ４５を設け、さらに、図４に示すように、カバー４４に、筐体４２と係止するためのホルダー４６を一体形成し、このホルダー４６をビス４７により筐体４２に締着して制御装置３０を取り付けるようにしている。
【００３１】
また、図５に示すように、負荷駆動手段３１を構成するリレー４８を、少なくともカバー４４内に単独で配設し、ビス４９により取り付け取り外し可能な構成にしている。
【００３２】
上記構成において動作を説明する。なお、洗いから乾燥までの基本的な動作は従来例と同じであるので説明を省略する。
【００３３】
制御装置３０を一体集中的に形成するとともに、筐体４２の背面部４３に略垂直に配設したことにより、制御装置３０が筐体４２内の下部や上部に複数分散しないため、防水パン（図示せず）内での溢水による絶縁劣化を起こしたり、湿気による結露により絶縁性が悪化することがなく、特に、制御装置３０は略垂直に配設しているため、万一、水滴などの付着があっても、下方へ流すことができ、水滴による絶縁性低下を未然に防止することができて、制御装置３０の信頼性を向上することができる。さらに、配線のシンプル化により組立性とサービスメンテナンス性を向上できるとともに、製造コストを低減することができる。
【００３４】
また、制御装置３０をカバー４４により覆って保護し、カバー４４には、外槽側３に複数の風穴ルーバ４５を設けているので、脱水行程において、外槽３が大きな振幅で揺れたとき、筐体４２内の空気が対流することにより、図３の矢印で示すように、呼吸作用が得られる。
【００３５】
この呼吸作用を利用し、カバー４４の外槽３側に設けた複数の風穴ルーバ４５に通風作用が働き、制御装置３０全体を冷却することができ、制御装置３０の温度上昇を低減することができ、信頼性を向上することができる。また、通風作用により、万一、水滴の付着があっても蒸発作用が働き、絶縁性の信頼性も高められる。
【００３６】
また、カバー４４に、筐体４２に係止するホルダー４６を一体形成しているので、洗い、脱水、乾燥行程にて、筐体４２の振動により制御装置３０に応力が加わっても、カバー４４に応力吸収する作用があるため、直接制御装置３０に応力が加わることがなく、制御装置３０の筐体４２からの振動応力に対する保護を行うことができ、信頼性を向上することができる。
【００３７】
また、筐体４２の背面部４３に略垂直に配設した制御装置３０の下側に冷却用送風機２５を設けているので、乾燥行程で、冷却送風機２５を動作させて外部空気を流入させ、外槽３や熱交換ダクト１２を冷却するとき、制御装置３０も冷却することができ、制御装置３０の温度上昇を低減することができ、信頼性を向上することができる。
【００３８】
また、負荷駆動手段３１を構成するリレー４８を、少なくともカバー４４内に単独で配設し、ビス４９などにより、取り付け取り外し可能な構成にしているので、温度上昇を低減するための配置が可能となり、信頼性を向上することができる。またリレーなどを取り付け取り外し可能に構成しているため、リレー４８などのサービスメンテナンス性を向上することができる。
【００３９】
【発明の効果】
以上のように本発明の請求項１に記載の発明によれば、筐体内に弾性的に吊支した外槽と、回転中心軸を略鉛直方向に有し前記外槽内に回転自在に支持し洗濯物を収容し通気孔を有する内槽と、この内槽の内底部に設け洗濯物を撹拌する回転翼と、前記内槽または回転翼を回転駆動する駆動手段と、前記内槽内に温風を供給する温風送風手段と、前記外槽の外面を冷却させる冷却手段と、負荷駆動手段を介して前記駆動手段、温風送風手段、冷却手段の動作を制御し洗い、すすぎ、脱水、乾燥の各行程を制御する制御手段と、前記負荷駆動手段および制御手段を有する制御装置と、前記制御装置を覆い保護するカバーとを備え、前記制御装置は、一体集中的に形成するとともに、前記筐体の背面部に略垂直に配設し、前記カバーには、前記外槽側に複数の風穴ルーバを設けたから、制御装置が筐体内の下部や上部に複数に分散しないため、防水パン内での溢水による絶縁劣化を起こしたり、湿気による結露により絶縁性が悪化することがなく、特に、制御装置は略垂直に配設しているため、万一、水滴などの付着があっても、下方へ流すことができ、水滴による絶縁性低下を未然に防止することができて、制御装置の信頼性を向上することができ、さらに配線のシンプル化により組立性とサービスメンテナンス性を向上できるとともに、製造コストを低減することができる。
【００４０】
また、脱水行程において、外槽が大きな振幅で揺れたとき、筐体内の空気が対流することにより呼吸作用が得られるのを利用し、カバーの外槽側に設けた複数の風穴ルーバに通風作用が働き、制御装置全体を冷却することができ、制御装置の温度上昇を低減することができ、信頼性を向上することができる。また、通風作用により、万一、水滴の付着があっても蒸発作用が働き、絶縁性の信頼性も高められる。
【００４１】
また、請求項２に記載の発明によれば、筐体内に弾性的に吊支した外槽と、回転中心軸
を略鉛直方向に有し前記外槽内に回転自在に支持し洗濯物を収容し通気孔を有する内槽と、この内槽の内底部に設け洗濯物を撹拌する回転翼と、前記内槽または回転翼を回転駆動する駆動手段と、前記内槽内に温風を供給する温風送風手段と、前記外槽の外面を冷却させる冷却手段と、負荷駆動手段を介して前記駆動手段、温風送風手段、冷却手段の動作を制御し洗い、すすぎ、脱水、乾燥の各行程を制御する制御手段と、前記負荷駆動手段および制御手段を有する制御装置と、前記制御装置を覆い保護するカバーとを備え、前記制御装置は、一体集中的に形成するとともに、前記筐体の背面部に略垂直に配設し、前記カバーには、前記筐体に係止するホルダーを一体形成したから、制御装置が筐体内の下部や上部に複数に分散しないため、防水パン内での溢水による絶縁劣化を起こしたり、湿気による結露により絶縁性が悪化したりすることがなく、特に、制御装置は略垂直に配設しているため、万一、水滴などの付着があっても、下方へ流すことができ、水滴による絶縁性低下を未然に防止することができて、制御装置の信頼性を向上することができ、さらに配線のシンプル化により組立性とサービスメンテナンス性を向上できるとともに、製造コストを低減することができる。
【００４２】
また、洗い、脱水、乾燥行程にて、筐体の振動により制御装置に応力が加わっても、カバーに応力吸収する作用があるため、直接制御装置に応力が加わることがなく、制御装置の筐体からの振動応力に対する保護を行うことができ、信頼性を向上することができる。
【００４３】
また、請求項３に記載の発明によれば、負荷駆動手段を構成するリレーを、少なくともカバー内に単独で配設し、取り付け取り外し可能に構成したから、温度上昇を低減するための配置が可能となり、信頼性を向上することができる。またリレーなどを取り付け取り外し可能に構成しているため、リレーなどのサービスメンテナンス性を向上することができる。
【図面の簡単な説明】
【図１】  本発明の一実施例の洗濯乾燥機の縦断面図
【図２】  同洗濯乾燥機のブロック回路図
【図３】  同洗濯乾燥機の要部拡大断面図
【図４】  同洗濯乾燥機の要部拡大斜視図
【図５】  同洗濯乾燥機の要部分解斜視図
【図６】  従来の洗濯乾燥機の縦断面図
【符号の説明】
３    外槽
４    内槽
６    回転翼
８    モータ（駆動手段）
１５  乾燥用送風機（温風送風手段）
１６  ヒータ（温風送風手段）
２５  冷却用送風機（冷却手段）
３０  制御装置
３１  負荷駆動手段
３３  制御手段
４２  筐体
４３  背面部
【図１】
0004442024.tif 000002
【図２】
0004442024.tif 000003
【図３】
0004442024.tif 000004
【図４】
0004442024.tif 000005
【図５】
0004442024.tif 000006
【図６】
0004442024.tif 000007